(57)【要約】【課題】皮革や堅い生地からなる材料などで形成する場合でも、縫製や貼り合せの技術を必要とせず組み立てることができ、部品点数が少なく、量産が可能な電子機器用ケースを提供する。【解決手段】電子機器用ケース１は、縦長の略長方形状で、上部に携帯電話機等の電子機器を出し入れするため開口部を有する箱型からなり、一枚の所定の形状に加工された天然皮革 または人工皮革や布、硬質の紙、合成樹脂等からなる薄厚のシート材料を折りたたみ、組み合わせることによって、形成したものである。【選択図】図１
2007190103.tif 000002
【特許請求の範囲】
【請求項１】
一枚の薄厚シート材料から形成され、携帯電話機等の小型電子機器を収納する電子機器用ケースであって、
前記一枚の薄厚シートは、中央に縦長の本体部と、その本体部の両側に羽部とを備え、
前記本体部は、ケースの一面を構成する略方形の胴部と、この胴部の一端に設けられた帯状部とを備え、
前記羽部は、第１の羽部と第２の羽部とを備え、
前記第１の羽部と前記第２の羽部とは、前記胴部と対向する面で重なり合い、前記帯状部と略同大で前記帯状部を貫通させる孔をそれぞれ備え、
前記帯状部は、前記胴部側から対向する前記第１の羽部と前記第２の羽部側に向かってケースの底部を形成しつつ前記孔に貫通するように挿入されていることを特徴とする電子機器用ケース。
【請求項２】
前記孔は、前記第１の羽部と前記第２の羽部のそれぞれに、前記帯状部の挿入軸方向に沿って複数設けられ、
前記第１の羽部と前記第２の羽部の孔は、２つの羽部が重なり合った場合に前記第１の羽部と前記第２の羽部とを貫通する位置に設けられ、
前記帯状部は、前記複数の孔に表面側と裏面側とから交互に挿入されていることを特徴とする請求項１記載の電子機器用ケース。
【請求項３】
前記帯状部は、前記第１の羽部と前記第２の羽部の少なくとも一方に、留め具を介して固定されていることを特徴とする請求項１又は２記載の電子機器用ケース。
【請求項４】
前記羽部は、前記本体部と前記第１の羽部及び前記第２の羽部との間に、ケースの側面を形成するくびれ部を備えていることを特徴とする請求項１乃至３のいずれか１項に記載の電子機器用ケース。
【請求項５】
前記本体部は、前記胴部における前記帯状部が設けられた端部と反対の端部に、収納する電子機器の飛び出しを防止するフラップを備え、
前記フラップは、前記第１の羽部、前記第２の羽部又は前記帯状部の少なくとも一つと、留め具を介して着脱自在であることを特徴とする請求項１乃至４のいずれか１項に記載の電子機器用ケース。
【請求項６】
前記本体部は、前記胴部における前記帯状部が設けられた端部と反対の端部に、ケースを携帯するために所望の対象物に固定する取付部を備え、
前記取付部は、前記胴部における前記ケースの外側を形成する面に対して折り返した状態で略ループ状を形成していることを特徴とする請求項１乃至５のいずれか１項に記載の電子機器用ケース。
【発明の詳細な説明】
【技術分野】
【０００１】
本発明は、携帯電話機等の小型電子機器を収納する電子機器用ケースに関する。
【背景技術】
【０００２】
近年、携帯電話機等の小型電子機器の急速な普及により、それに関連する商品の開発も盛んになされている。そのうちの一つに機器を収納するケースが多く提案されている。これらのケースは、携帯電話機等の電子機器の形状に合わせて縦長の方形状を形成し、上部に開口部を備え、開口部の蓋を開閉することにより、電子機器の収納、取り出しを行うものが一般的である。
【０００３】
例えば、特許文献１では、電子機器用ケースを皮革カバーで形成するとともに、ケース下部にリベットを設け、ケース内で電子機器を傾斜状態で保持するようにしたものが開示されている。また、特許文献２では、電子機器用ケースを取り付ける腰ベルトに沿って横向きに固定できるように構成し、ケース内の携帯電話機の取り出しを容易にしたものが開示されている。
【特許文献１】特開２０００−２３７２５公報
【特許文献２】実用新案登録第３０７２７８２号公報
【発明の開示】
【発明が解決しようとする課題】
【０００４】
ところで、上記従来の電子機器用ケースは、いずれもシート状の材料をパーツとして複数用いて、これらを縫い合わせたり、貼り合わせたりすることにより構成し、また、リベットや面ファスナー、ホック等の留め具を多数用いている。しかしながら、例えば、ケースを形成するシートを皮革や堅い生地からなる材料などを用いた場合、縫製や貼り合わせに技術が必要であり、また、留め具を多用することもあわせて、製品全体としての部品点数が多くなり、コスト面、量産性の面で課題があった。
【０００５】
本発明は、上記のような従来技術の問題点を解決するために提案されたものであり、その目的は、皮革や堅い生地からなる材料などで形成する場合でも、縫製や貼り合せの技術を必要とせず組み立てることができ、部品点数が少なく、量産が可能な電子機器用ケースを提供することにある。
【課題を解決するための手段】
【０００６】
上記の目的を達成するため、請求項１の発明は、一枚の薄厚シート材料から形成され、携帯電話機等の小型電子機器を収納する電子機器用ケースであって、前記一枚の薄厚シートは、中央に縦長の本体部と、その本体部の両側に羽部とを備え、前記本体部は、ケースの一面を構成する略方形の胴部と、この胴部の一端に設けられた帯状部とを備え、前記羽部は、第１の羽部と第２の羽部とを備え、前記第１の羽部と前記第２の羽部とは、前記胴部と対向する面で重なり合い、前記帯状部と略同大で前記帯状部を貫通させる孔をそれぞれ備え、前記帯状部は、前記胴部側から対向する前記第１の羽部と前記第２の羽部側に向かってケースの底部を形成しつつ前記孔に貫通するように挿入されていることを特徴とする。
【０００７】
以上のような態様では、所定の形状に加工された１枚の皮革等からなるシート材料により、ケース本体に一切縫い目を設けることなく、畳み合わせるだけで、立体的な電子機器用ケースを形成することができる。すなわち、胴部に対してその両端に設けられた第１の羽部と第２の羽部とを折りたたみ重ね合わせ、ケースの底面部を形成するように帯状部を胴部側から羽部側に回し、２つの羽部にそれぞれ設けられた帯状部と略同大の孔に対して帯状部を貫通させることにより、２つの羽部が重なり合った状態で固定されるとともに、これらの羽部に帯状部が固定され底面部を構成する。これにより、胴部と羽部とを正面及び背面とし、帯状部を底面としたケースを構成することができる。
【０００８】
一般的に皮革等の比較的硬質な材料によりケースを形成した場合、多数のパーツを用い、これを貼り合わせたり縫い合わせたりする必要があるが、本発明の電子機器用ケースでは、このような作業を必要とせず、所定形状の１枚の材料を切り出すだけでよい。したがって、量産が可能で、縫製に技術が必要な皮革や堅い生地からなる材料などで形成する場合でも、技術を必要とせず組み立てることができる。また、部品点数が少なく、コストパフォーマンスが高い。
【０００９】
また、左右羽部を重ね合わせることにより形成され、シートが二重となることにより、例えば、左右羽部側をケースの正面側とした場合に、外部からの衝撃を最も受けやすい正面側に厚みを持たせることができるので、ケースに収納する電子機器を外部の衝撃等から保護することが可能となる。一方で、胴体部は、一枚の薄厚シート材料からなるので、例えば、この胴体部をケースの背面側とした場合に、ベルトを介して腰部分に取り付ける際など、当接する部分の形状にフィットし易い。
【００１０】
なお、本発明を構成する薄厚のシート材料としては、皮革が最も好ましい。皮革は加工が比較的難しい半面、本発明のように１枚の材料を切り出し、これを組み立てて構成するような場合には、素材の形態保持性、柔軟性、弾力性等が効果を奏する。すなわち、素材が適度な形態保持性を有しつつ、また柔軟性があるため、組み立て易く、また帯状部を羽部の孔に挿入した際の帯状部と羽部との固定感が強い。また、適度な柔軟性と弾力性により、収納する電子機器の形状に合わせてフィットさせ易い。
【００１１】
請求項２の発明は、請求項１の発明において、前記孔は、前記第１の羽部と前記第２の羽部のそれぞれに、前記帯状部の挿入軸方向に沿って複数設けられ、前記第１の羽部と前記第２の羽部の孔は、２つの羽部が重なり合った場合に前記第１の羽部と前記第２の羽部とを貫通する位置に設けられ、前記帯状部は、前記複数の孔に表面側と裏面側とから交互に挿入されていることを特徴とする。
【００１２】
以上のような態様では、２つの羽部に設けられた孔が帯状部の挿入軸方向に複数並列に設けられ、さらにこれらの孔が２つの羽部を重ねた場合に、貫通するような位置に設けられ、これに帯状部を羽部の表面側と裏面側とから交互に挿入することによって、帯状部による２つの羽部の固定と、羽部に対する帯状部の固定を確実にすることができる。また、帯状部が羽部をくぐったり表面に現れたりすることにより、表面部の形状、模様に変化を与え、デザイン性も高い。
【００１３】
請求項３の発明は、請求項１又は２記載の発明において、前記帯状部は、前記第１の羽部と前記第２の羽部の少なくとも一方に、留め具を介して固定されていることを特徴とする。
以上のような態様では、帯状部が留め具を介して、２つの羽部の少なくとも一方に固定されることにより、請求項１又は２の効果に加えて、さらに帯状部による２つの羽部の固定と羽部に対する帯状部の固定を確実にすることができる。
【００１４】
請求項４の発明は、請求項１乃至３のいずれか１項に記載の発明において、前記羽部は、前記本体部と前記第１の羽部及び前記第２の羽部との間に、ケースの側面を形成するくびれ部を備えていることを特徴とする。
【００１５】
以上のような態様では、羽部と胴体部との間のケースの側面を形成する部分にくびれ部が設けられていることにより、ケースの四隅がカットされた構成となる。したがって、収納される携帯電話機等の電子機器の四隅がケースに覆われることがなく外部に露出する。そのため、電子機器を露出した部分から掴んだり、押したりすることができ、ケースに対して電子機器の出し入れが容易になる。
【００１６】
また、電子機器の隅の形状はデザインや大きさにより様々であり、同時にケースの四隅は通常ケースを構成する材料溜まりになったり、必ずしも十分なスペースが確保されない場合があるが、本発明では、ケースの四隅が形成されないので、電気機器の四隅の形状や大きさに幅広く対応することができる。さらに、側面部の面積が羽部や胴体部等の他の面より小さく、また薄厚のシート材料一枚で形成されていることにより、電子機器の側面形状にフィットさせることができる。
【００１７】
また、底面部を構成する帯状部が、細い帯状で形成されることにより、このくびれ部分の構成と相俟って、電子機器の四方をケースから露わにすることができるため、電子機器の出し入れを容易にするとともに、電子機器の隅の形状や大きさに対応することが可能である。さらに、帯状部が、細い帯状でかつ一枚で形成されていることにより、電子機器の底面形状にフィットさせることができる。
【００１８】
請求項５の発明は、請求項１乃至４のいずれか１項に記載の発明において、前記本体部は、前記胴部における前記帯状部が設けられた端部と反対の端部に、収納する電子機器の飛び出しを防止するフラップを備え、前記フラップは、前記第１の羽部、前記第２の羽部又は前記帯状部の少なくとも一つと、留め具を介して着脱自在であることを特徴とする。
以上のような態様では、フラップにより、ケースに収納される電子機器の飛び出しを防止することができ、実用性の高い電子機器用ケースを提供することができる。
【００１９】
請求項６の発明は、請求項１乃至５のいずれか１項に記載の発明において、前記本体部は、前記胴部における前記帯状部が設けられた端部と反対の端部に、ケースを携帯するために所望の対象物に固定する取付部を備え、前記取付部は、前記胴部における前記ケースの外側を形成する面に対して折り返した状態で略ループ状を形成していることを特徴とする。
以上のような態様では、ケースを携帯するために所望の対象物に固定する取付部が略ループ状に形成されることにより、そのループ状の部分にベルトやバンドを通すことにより、例えば使用者の腰に取り付けたりバッグのベルト部分に取り付けたりすることができ、ケースの携帯が容易となる。
【発明の効果】
【００２０】
本発明によれば、皮革や堅い生地からなる材料などで形成する場合でも、縫製や貼り合せの技術を必要とせず組み立てることができ、部品点数が少なく、量産が可能な電子機器用ケースを提供することができる。
【発明を実施するための最良の形態】
【００２１】
次に、本発明を実施するための最良の形態を、図１乃至図５を参照して説明する。
【００２２】
（１）本実施形態
本実施形態の電子機器用ケース１（以下、「ケース１」とも呼ぶ。）は、図１に示すように、縦長の略長方形状で、上部に携帯電話機等の電子機器を出し入れするため開口部を有する箱型からなり、図２に示すように、一枚の所定の形状に加工された天然皮革 または人工皮革、布、硬質の紙又は合成樹脂等からなる薄厚のシート材料を後述の手法により折りたたみ、組み合わせることによって、形成したものである。
【００２３】
［展開図に表れる各部の構成］
電子機器用ケース１の各部の構成を、図２の展開図を用いて説明する。
図２に示すように、全体形状は、中央部に縦長の本体部Ａと左右に羽部Ｂを備えたトンボ型である。
【００２４】
（全体構成）
この本体部Ａは、胴部２、フラップ３、取付部４及び帯状部５とからなる。胴部２は、本体部Ａの中央部分を構成し、この胴部２の上方にケース１の蓋となるフラップ３とケース１をベルト等に取り付けるための取付部４とが設けられている。また、胴部２の下方には後述する羽部Ｂに固定することにより、本ケース１を箱状に維持する帯状部５を備える。
【００２５】
羽部Ｂは、右羽６、左羽７、右くびれ８及び左くびれ９とからなる。右羽６と左羽７とは、胴部２の左右側に設けられ、これらが重なり合うことによりケースの正面側を形成する。また、右くびれ８と左くびれ９とは、胴部２と左右羽６，７とを接続する。
【００２６】
（各部の構成）
本体部Ａの胴部２は、ケース１の背面側を形成する部分である。また、その中央下部には、２つの孔２ａ，２ｂを横並びに備える。この孔２ａ，２ｂは、図３に示すように、本ケース１を使用者が腰等に本ケースと別体のベルトやバンド等を介して取り付けて用いる場合に、取付部４をケース１の背面側にループ状に折り返して固定しそこにバンドを通すようにして利用するのであるが、その際に取付部４と胴部２とを留め金を用いて接続するためのものである。
【００２７】
フラップ３と取付部４とは、胴部２上部に設けられた１本の帯で、フラップ３は、この１本の帯の中央部分を細帯状に切り出して形成され、取付部４はフラップ３周辺の残部からなる。このフラップ３は、図１に示すようにケース１の正面側に折り返すことにより、ケース１の上部を留める蓋として用いるものである。また、取付部４は、図３に示すように、ケース１の背面側に折り返して胴部２と留め金により、かしめることによりループ状Ｒを形成し、このループ内部にベルトやバンドを通してケース１を使用者の腰部分やバッグ等への取付部分である。また、この取付部４と胴部２とを留め具により留めるための取付孔４ａ，４ｂを備える。
【００２８】
帯状部５は、図２の展開図に示すように、胴部２の半分程度の幅からなり、本体部Ａの軸方向の長さＬ１は左右羽６，７の長さＬ２より若干長い。後述のように、この帯状部５は、胴部２との接続部分で正面側に折り返すことにより、その折り返し部分がケース１の底面部を形成するとともに、後述の左右羽６，７の上側孔と下側孔とを通すことにより、ケース１の左右羽を形成する左右羽６，７を固定するものである。
【００２９】
また、その先端部分の固定孔５ａには、図１に示すように、かしめ具としてギボシ５ｂが取り付けられ、フラップ３の先端に設けられた孔３ａに挿入することで、右羽６に固定するものである。なお、フラップ３と帯状部５の留めは、上記のようにギボシ５ｂと孔３ａにより形成することができるほか、例えば帯状部５の先端にボタンの雄部を設けフラップ３の先端にボタンの雌部を設けて形成したり、帯状部５とフラップ３とにマグネットを設け固定することも可能であり、このフラップ３と帯状部５と固定は大きさ相当の公知のあらゆる固定具並びに留め金を用いることができる。
【００３０】
一方、羽部Ｂを形成する右羽６と左羽７は、図２に示すように、本体部Ａの長軸線を基準に左右対称に設けられており、それぞれ対称位置に上側孔６ａ，７ａ（６ａ’，７ａ’）と下側孔６ｂ，７ｂ（６ｂ’，７ｂ’）とを備える。この上側孔６ａ，７ａと下側孔６ｂ，７ｂとには、後述するケース１の組み立ての際、左右羽を重ね合わせた上で帯状部を５を左右羽６，７の表面及び裏面から交互に波上に通して固定するためのものである。この上側孔６ａ，７ａと下側孔６ｂ，７ｂの形状は、横長で左右端部がＲ状に加工されている。また、左右羽６，７の縦方向（本体部Ａの軸方向と同じ。以下、同じ。）に対する上側孔６ａ，７ａと下側孔６ｂ，７ｂの配置割合は、上から略３：５：２であり、上側孔の６ａと７ａとの間隔及び下側孔の６ｂと７ｂとの間隔は前記比で１程度である。また、右羽６の上部には、帯状部５に設けるかしめ具のギボシ５ｂの台座を取り付ける受け孔６ｃが設けられている。
【００３１】
胴部２と左右羽６，７とを接続する左右くびれ８，９は、縦方向の長さＬ３が左右羽６，７の長さＬ２の半分程度で構成され、左右羽６，７の中央部分で胴部２と接続している。また、左右羽部８，９から本体部ＡにかけてのラインがくびれるようにＲ状を形成している。この左右くびれ８，９は、左右羽６，７を前面側に折り返すための折り返し部分を形成するとともに、組み立てた際にケース１の左右側面部を形成するものである。
【００３２】
［組み立て手順］
以上のような構成からなる本実施形態のケース１について、図２に示す展開図の状態から図１の斜視図の状態まで組み立てる手順を図４の（ａ）〜（ｅ２）及び図５を用いて説明する。
【００３３】
まず、図４（ａ）の展開された状態から同図（ｂ）に示すように、左羽７を左くびれ９から折り曲げ、胴部２の正面側に合わせる。次に（ｃ）に示すように右羽６を右くびれ８から折り曲げ、胴部２の正面側に合わせる。このとき、左右羽６及び７に設けられた上側孔６ａ，７ａと下側孔６ｂ，７ｂとが貫通した状態で重なり合うようにする。
【００３４】
次に図４（ｄ）に示すように、帯状部５を左右羽６，７方向に折り返し、左右羽６，７の上側孔６ａ，７ａ（６ａ’，７ａ’）と下側孔６ｂ，７ｂ（６ｂ’，７ｂ’）を波状に通過させる。
【００３５】
これを図４（ｄ）のＸ−Ｘ断面図として、図５に示すと、折り返された帯状部５は、まず、左右羽６，７に設けられた下側孔６ｂ’，７ｂ’に対して表面側から挿入され、左羽７の下を通した後、６ｂ，７ｂを通す。その後、帯状部５を一旦右羽６の表面側に出し、再度、上側孔６ａ’，７ａ’に挿入する。そして帯状部５を左羽７の下を通した後、上側孔６ａ，７ａを通過させ、再度、右羽６の上側に出す。
【００３６】
帯状部５がこの位置まで達したら、帯状部５の先端部の固定孔５ａと右羽６の上部設けられた受け孔６ｃとにフラップの留め具であるギボシ５ｂの台座をかしめ、帯状部５を右羽６に固定する。これにより、ケース１の箱状部分が形成される。このように、本実施形態のケース１は、展開状態からケース１の箱状態を、左右羽６，７の上側孔と下側孔とに帯状部５を織り込み、さらに、この帯状部５の先端部分と右羽６とを固定することにより、ケース１の箱型形態を維持している。
【００３７】
なお、本来的には、帯状部５を左右羽６，７の孔に織り込むだけで、ケース１の形態の維持は可能であるが、本実施形態の電子機器用ケース１では、フラップを設け、これを帯状部５と固定することとし、これに際してギボシの台座が必要となるため、この台座の固定をより強固にするとともに、帯状部５と左右羽６，７の織り込みが解放しないように、帯状部５を右羽６に固定することとしている。また、このとき、ギボシ５ｂの台座は、左羽７まで貫通させないようにしている。
【００３８】
次に、図４（ｅ１）に示すように、フラップ３を右羽６側に折り返し、フラップ３に設けられた孔３ａに、ギボシ５ｂを挿入することによって、ケース１の蓋が形成される。一方、図４（ｅ２）にケース１の背面側を示すように、取付部４は、ケース１の背面側に折り返して胴部２の孔２ａ，２ｂと取付部４の取付孔４ａ，４ｂとを公知のかしめ具により胴部２に対して固定する。
【００３９】
このようにして、図１の斜視図に示す本実施形態の電子機器用ケース１が形成される。そして、このケース１に対して携帯電話機等の電子機器を挿入する場合には、まずフラップ３をギボシ５ｂから解放して、フラップ３を開け、その開口部から電子機器を挿入する。電子機器を左右くびれ下部の切欠部分までしっかり入れ、再度フラップ３をギボシ５ｂに取り付けることによりケース１内部に収納されることとなる。また、胴部２の背面側において固定された取付部４のループ状部分に、ベルトやバンド等を通し、使用者はケース１を腰部に取り付ける。
【００４０】
［効果］
以上のような本実施形態の電子機器用ケース１によれば、ケースの背面部分を形成する胴部から、ケースの側面部分を形成する左右のくびれを折り畳み、ケースの左右羽分を形成する左右の羽を重ね合わせ、さらにその羽に設けられた上側孔と下側孔に対してケースの底面部を形成する帯状部を挿入して左右羽を固定することにより、ケースを形成する。
【００４１】
これにより、図２の展開図に示したように、所定の形状に加工された１枚の皮革等からなるシート材料により、ケース本体に一切縫い目を設けたり貼り合せることなく、畳み合わせるだけで、立体的な電子機器用ケースを形成することができる。より具体的には、胴部に対してその両端に設けられた第１の羽部と第２の羽部とを折りたたみ重ね合わせ、ケースの底面部を形成するように胴部側から帯状部を羽部側に回し、２つの羽部にそれぞれ設けられた帯状部を、略同大の上側孔及び下側孔に対して貫通させることにより、２つの羽部が重なり合った状態で固定されるとともに、これらの羽部に帯状部が固定され底面部を構成する。これにより、胴部と羽とを表面及び裏面とし、帯状部を底面としたケースを構成することができる。
【００４２】
一般的に皮革等の比較的硬質材料によってケースを形成した場合、多数のパーツを用い、これを貼り合わせたり縫い合わせたりする必要があるが、本実施形態のケース１では、このような作業を必要せず、所定形状の１枚の材料を切り出すだけでよい。したがって、量産が可能で、皮革や堅い生地からなる材料などで形成する場合でも、縫製や貼り合せなどの技術を必要とせず、誰でも簡単に組み立てることができる。また、部品点数が少なく、コストパフォーマンスが高い。
【００４３】
また、左右羽を重ね合わせることにより形成され、シートが二重となることにより、例えば、左右羽側をケースの正面側とした場合に、外部からの衝撃を最も受けやすい正面側に厚みを持たせることができるので、ケースに収納する電子機器を外部の衝撃等から保護することが可能となる。一方で、胴体部は、一枚の薄厚シート材料からなるので、例えば、この胴体部をケースの背面側とした場合に、ベルトを介して腰部分に取り付ける場合など、取り付け部分の形状にフィットし易い。
【００４４】
２つの羽に設けられた上側孔及び下側孔が帯状部の挿入軸方向に複数並列に設けられ、これらの孔が２つの羽を重ねた場合に貫通するような位置に設けられ、そしてこれに帯状部を羽の表面側と裏面側から交互に挿入することによって、帯状部による２つの羽の固定と、羽に対する帯状部の固定を確実にすることができる。また、帯状部が羽をくぐったり表面に現れたりすることにより、表面部の形状、模様に変化を与え、デザイン性も高い。
【００４５】
帯状部がギボシを介して、右羽に固定されることにより、さらに帯状部による２つの羽との固定と、羽に対する帯状部の固定を確実にすることができる。
【００４６】
羽と胴体部との間のケース１の側面を形成する部分に左右くびれが設けられていることにより、収納される携帯電話機等の電子機器の四方がケースに覆われることがなく、外部に露出している。そのため、電子機器の四隅を露出した部分から掴んだり、押したりすることができ、ケースに対して電子機器の出し入れが容易になる。
【００４７】
また、電子機器の隅の形状はデザインや大きさにより様々であり、同時にケースの四隅は通常ケースを構成する材料溜まりになったり、必ずしも十分なスペースが確保されない場合があるが、本実施形態では、ケースの四隅が形成されないので、電気機器の四隅の形状や大きさに幅広く対応することができる。さらに、側面部の面積が羽や胴体部等の他の面より小さく、また薄厚のシート材料一枚で形成されていることにより、電子機器の側面形状にフィットさせることができる。
【００４８】
また、底面部を構成する帯状部も細い帯状で形成されることにより、このくびれ部分の構成と相俟って、電子機器の四方をケースから露わにすることができるため、電子機器の出し入れを容易にするとともに、電子機器の隅の形状や大きさに対応することが可能である。さらに、細い帯状で、一枚で形成されていることにより、電子機器の底面形状にフィットさせることができる。
【００４９】
また、フラップにより、ケースに収納される電子機器の飛び出しを防止することができ、実用性の高い電子機器用ケースを提供することができる。さらに、胴体部背面より取付部が、略ループ状に形成されることにより、そのループ状の部分にベルトやバンドを通すことにより、例えば使用者の腰に取り付けたり、バッグのベルト部分に取り付けたりすることができ、ケースの携帯が容易となる。
【００５０】
（２）他の実施形態
本発明は、上記の実施形態に開示した構成に限定されるものでなく、例えば、以下の態様も包含するものである。例えば、上記実施形態では、左右の羽に上側孔と下側孔をそれぞれ２つずつ、各羽計４つ設けたが、これは最良の形態を示すものであって、本発明では、左右羽に対して帯状部が固定される範囲であれば、左右羽各１つずつでも、２つずつでも良い。
【００５１】
上記実施形態におけるくびれ部分の幅は、適宜変更可能であって、上記実施形態で開示したものよりも細く構成したり、広く構成することも可能である。
【００５２】
上記実施形態ではまた、帯状体の挿入軸方向に対する幅を左右羽又は胴部の３分の２程度に構成しているが、底面部を構成し電子機器のケース下側からの落下を防止する機能を果たす範囲で、適宜幅を設計することが可能である。また、胴部から底面部を形成するように分離する構成である限りは、例えば、複数本で構成することも可能である。
【００５３】
また、フラップも同様で、収納される電子機器の突出を防止する機能を果たす限りにおいては、その挿入軸方向に対する幅や本数は適宜変更可能である。さらに、フラップと帯状体の固定部品もギボシに限られず、ボタンやマグネット等、公知の固定手段は如何なるものも採用可能である。さらに、上記実施形態では、帯状部と固定する構成としているが、これは部品点数の減少を目的として、帯状部と羽との固定と留め具を共通にする構成としたものであり、本発明はこのような構成に限られるものではない。すなわち、フラップを羽部と固定する構成も採用可能である。
【００５４】
上記実施形態では、取付部を胴部背面に向かってループ状に折り返して、その先端部分を胴部に固定する構成としたが、本発明はこのような構成に限られず、例えば、胴部に着脱自在に取り付けたり、単に取付部とフラップを構成する部分からフラップを切り出し、輪状に残った取付部をそのまま取付対象物にぶら下げるなど、一枚のシート材料から切り出され、さらに所望の取付対象物に固定するための構成であれば、どのような構成も採用可能である。
【図面の簡単な説明】
【００５５】
【図１】本発明の実施形態における電子機器用ケースの全体構成を示す斜視図。
【図２】本発明の実施形態における電子機器用ケースの全体構成を示す展開図。
【図３】本発明の実施形態における電子機器用ケースの全体構成を示す展開図。
【図４】本発明の実施形態における電子機器用ケースの背面側の構成を示す図。
【図５】本発明の実施形態における電子機器用ケースの作成手順を示す図。
【符号の説明】
【００５６】
１…電子機器用ケース
２…胴部
２ａ…孔
３…フラップ
３ａ…孔
４…取付部
４ａ…取付孔
５…帯状部
５ａ…固定孔
５ｂ…ギボシ
６…右羽
６ａ，６ａ’，７ａ，７ａ’…上側孔
６ｂ，６ｂ’，７ｂ，７ｂ’…下側孔
６ｃ…受け孔
７…左羽
８…右くびれ
９…左くびれ
Ａ…本体部
Ｂ…羽部
Ｒ…ループ状
【図１】
2007190103.tif 000003
【図２】
2007190103.tif 000004
【図３】
2007190103.tif 000005
【図４】
2007190103.tif 000006
【図５】
2007190103.tif 000007
【手続補正書】
【提出日】平成19年5月7日(2007.5.7)
【手続補正１】
【補正対象書類名】特許請求の範囲
【補正対象項目名】全文
【補正方法】変更
【補正の内容】
【特許請求の範囲】
【請求項１】
一枚の薄厚シート材料から形成され、携帯電話機等の小型電子機器を収納する電子機器用ケースであって、
前記一枚の薄厚シートは、中央に縦長の本体部と、その本体部の両側に第１と第２の羽部とを備え、
前記本体部は、ケースの一面を構成する略方形の胴部と、この胴部の一端に設けられた帯状部とを備えるとともに、前記胴部における前記帯状部が設けられた端部と反対の端部には、一本の帯を分離することにより形成されたフラップと取付部とを備え、
前記第１の羽部と前記第２の羽部とは、前記胴部と対向する面で重なり合い、前記帯状部を貫通させる当該帯状部の幅方向と略同尺の幅を有する孔をそれぞれ備え、
前記帯状部は、前記胴部側から対向する前記第１の羽部と前記第２の羽部側に向かってケースの底部を形成しつつ、前記孔に貫通するように挿入され、
前記フラップは、前記一本の帯の胴部側から中央部分に向かって細帯状に切り出して形成され、前記第１の羽部、前記第２の羽部又は前記帯状部の少なくとも一つと、留め具を介して着脱自在であり、
前記取付部は、前記フラップの周辺の残部から形成され、前記胴部における前記ケースの外側を形成する面に対して折り返した状態で略ループ状を形成することを特徴とする電子機器用ケース。
【請求項２】
前記孔は、前記第１の羽部と前記第２の羽部のそれぞれに、前記帯状部の挿入軸方向に沿って複数設けられ、
前記第１の羽部と前記第２の羽部の孔は、２つの羽部が重なり合った場合に前記第１の羽部と前記第２の羽部とを貫通する位置に設けられ、
前記帯状部は、前記複数の孔に表面側と裏面側とから交互に挿入されていることを特徴とする請求項１記載の電子機器用ケース。
【請求項３】
前記帯状部は、前記第１の羽部と前記第２の羽部の少なくとも一方に、留め具を介して固定されていることを特徴とする請求項１又は２記載の電子機器用ケース。
【請求項４】
前記羽部は、前記本体部と前記第１の羽部及び前記第２の羽部との間に、ケースの側面を形成するくびれ部を備えていることを特徴とする請求項１乃至３のいずれか１項に記載の電子機器用ケース。
【手続補正２】
【補正対象書類名】明細書
【補正対象項目名】０００６
【補正方法】変更
【補正の内容】
【０００６】
上記の目的を達成するため、請求項１の発明は、一枚の薄厚シート材料から形成され、携帯電話機等の小型電子機器を収納する電子機器用ケースであって、前記一枚の薄厚シートは、中央に縦長の本体部と、その本体部の両側に第１と第２の羽部とを備え、前記本体部は、ケースの一面を構成する略方形の胴部と、この胴部の一端に設けられた帯状部とを備えるとともに、前記胴部における前記帯状部が設けられた端部と反対の端部には、一本の帯を分離することにより形成されたフラップと取付部とを備え、前記第１の羽部と前記第２の羽部とは、前記胴部と対向する面で重なり合い、前記帯状部を貫通させる当該帯状部の幅方向と略同尺の幅を有する孔をそれぞれ備え、前記帯状部は、前記胴部側から対向する前記第１の羽部と前記第２の羽部側に向かってケースの底部を形成しつつ、前記孔に貫通するように挿入され、前記フラップは、前記一本の帯の胴部側から中央部分に向かって細帯状に切り出して形成され、前記第１の羽部、前記第２の羽部又は前記帯状部の少なくとも一つと、留め具を介して着脱自在であり、前記取付部は、前記フラップの周辺の残部から形成され、前記胴部における前記ケースの外側を形成する面に対して折り返した状態で略ループ状を形成することを特徴とする。
【手続補正３】
【補正対象書類名】明細書
【補正対象項目名】００１１
【補正方法】変更
【補正の内容】
【００１１】
また、フラップにより、ケースに収納される電子機器の飛び出しを防止することができ、実用性の高い電子機器用ケースを提供することができる。
【手続補正４】
【補正対象書類名】明細書
【補正対象項目名】００１２
【補正方法】変更
【補正の内容】
【００１２】
さらに、ケースを携帯するために所望の対象物に固定する取付部が略ループ状に形成されることにより、そのループ状の部分にベルトやバンドを通すことにより、例えば使用者の腰に取り付けたりバッグのベルト部分に取り付けたりすることができ、ケースの携帯が容易となる。
【手続補正５】
【補正対象書類名】明細書
【補正対象項目名】００１３
【補正方法】変更
【補正の内容】
【００１３】
請求項２の発明は、請求項１の発明において、前記孔は、前記第１の羽部と前記第２の羽部のそれぞれに、前記帯状部の挿入軸方向に沿って複数設けられ、前記第１の羽部と前記第２の羽部の孔は、２つの羽部が重なり合った場合に前記第１の羽部と前記第２の羽部とを貫通する位置に設けられ、前記帯状部は、前記複数の孔に表面側と裏面側とから交互に挿入されていることを特徴とする。
【手続補正６】
【補正対象書類名】明細書
【補正対象項目名】００１４
【補正方法】変更
【補正の内容】
【００１４】
以上のような態様では、２つの羽部に設けられた孔が帯状部の挿入軸方向に複数並列に設けられ、さらにこれらの孔が２つの羽部を重ねた場合に、貫通するような位置に設けられ、これに帯状部を羽部の表面側と裏面側とから交互に挿入することによって、帯状部による２つの羽部の固定と、羽部に対する帯状部の固定を確実にすることができる。また、帯状部が羽部をくぐったり表面に現れたりすることにより、表面部の形状、模様に変化を与え、デザイン性も高い。
【手続補正７】
【補正対象書類名】明細書
【補正対象項目名】００１５
【補正方法】変更
【補正の内容】
【００１５】
請求項３の発明は、請求項１又は２記載の発明において、前記帯状部は、前記第１の羽部と前記第２の羽部の少なくとも一方に、留め具を介して固定されていることを特徴とする。
以上のような態様では、帯状部が留め具を介して、２つの羽部の少なくとも一方に固定されることにより、請求項１又は２の効果に加えて、さらに帯状部による２つの羽部の固定と羽部に対する帯状部の固定を確実にすることができる。
【手続補正８】
【補正対象書類名】明細書
【補正対象項目名】００１６
【補正方法】変更
【補正の内容】
【００１６】
請求項４の発明は、請求項１乃至３のいずれか１項に記載の発明において、前記羽部は、前記本体部と前記第１の羽部及び前記第２の羽部との間に、ケースの側面を形成するくびれ部を備えていることを特徴とする。
【手続補正９】
【補正対象書類名】明細書
【補正対象項目名】００１７
【補正方法】変更
【補正の内容】
【００１７】
以上のような態様では、羽部と胴体部との間のケースの側面を形成する部分にくびれ部が設けられていることにより、ケースの四隅がカットされた構成となる。したがって、収納される携帯電話機等の電子機器の四隅がケースに覆われることがなく外部に露出する。そのため、電子機器を露出した部分から掴んだり、押したりすることができ、ケースに対して電子機器の出し入れが容易になる。
【手続補正１０】
【補正対象書類名】明細書
【補正対象項目名】００１８
【補正方法】変更
【補正の内容】
【００１８】
また、電子機器の隅の形状はデザインや大きさにより様々であり、同時にケースの四隅は通常ケースを構成する材料溜まりになったり、必ずしも十分なスペースが確保されない場合があるが、本発明では、ケースの四隅が形成されないので、電気機器の四隅の形状や大きさに幅広く対応することができる。さらに、側面部の面積が羽部や胴体部等の他の面より小さく、また薄厚のシート材料一枚で形成されていることにより、電子機器の側面形状にフィットさせることができる。
【手続補正１１】
【補正対象書類名】明細書
【補正対象項目名】００１９
【補正方法】変更
【補正の内容】
【００１９】
また、底面部を構成する帯状部が、細い帯状で形成されることにより、このくびれ部分の構成と相俟って、電子機器の四方をケースから露わにすることができるため、電子機器の出し入れを容易にするとともに、電子機器の隅の形状や大きさに対応することが可能である。さらに、帯状部が、細い帯状でかつ一枚で形成されていることにより、電子機器の底面形状にフィットさせることができる。